(57)【要約】【課題】    走行機体の左右幅の略中央に設けた施肥経路よりドレンホースを分岐した施肥作業機において、ドレンホースの中途部の垂れ下がりを抑え、肥料排出を容易に行うことができる施肥作業機のドレンホースの支持装置を得る。【解決手段】  走行機体内方に設けた施肥経路からドレンホースを分岐した施肥作業機において、ドレンホースを支持する杆状のホースガイドを、ドレンホースの始端側位置を回動支点として回動自在に設け、該回動支点の他端側にドレンホースを装着し、該ホースガイド、及びドレンホースを、ドレンホースの先端側を始端側よりも下方に位置させた肥料排出姿勢と、ドレンホースの先端側を始端側よりも上方に位置させた非排出姿勢とに一体的に姿勢変更可能に構成した。  また、ホースガイドの端部にドレンホースの折り曲げ係止部を設けた。【選択図】        図２
2005261312.tif 000002
【特許請求の範囲】
【請求項１】
走行機体内方に設けた施肥経路からドレンホースを分岐した施肥作業機において、ドレンホースを支持する杆状のホースガイドを、ドレンホースの始端側位置を回動支点として回動自在に設け、該回動支点の他端側にドレンホースを装着し、該ホースガイド、及びドレンホースをドレンホースの先端側を始端側よりも下方に位置させた肥料排出姿勢と、ドレンホースの先端側を始端側よりも上方に位置させた非排出姿勢とに一体的に姿勢変更可能に構成したことを特徴とする施肥作業機のドレンホース支持装置。
【請求項２】
ホースガイドの先端部にドレンホースの折り曲げ係止部を設けた請求項１記載の施肥作業機のドレンホース支持装置。
【発明の詳細な説明】
【技術分野】
【０００１】
本発明は、施肥作業機のドレンホース支持装置に関する。
【背景技術】
【０００２】
近年、粒状肥料、ペースト状肥料、液状肥料等の施肥機を搭載した施肥作業機は、畑作専用の施肥管理機や田植同時施肥機等として広く使用されている。
そして、これらは施肥用の肥料タンクを備えており、施肥作業の終了時等に機内に残っている肥料を抜いたり、肥料経路をきれいに清掃する必要があり、肥料を抜くためのドレンホースを必要とする。
従来、田植同時施肥機として、機体下部にドレンホースを備えた技術は、既に知られている（例えば、特許文献１参照。）。
【特許文献１】特許２７３２３３４号公報（第３頁、図２）
【発明の開示】
【発明が解決しようとする課題】
【０００３】
しかしながら、従来公知の上記特許文献１に記載のドレンホースは、機体の内方に位置する施肥ポンプから走行機体外側方に可撓性のドレンホースを延設し、肥料排出時には走行機体外端部よりも外方にドレンホースの肥料排出口を位置させて、肥料を排出し、肥料排出時以外はその先端側を機体外方部に吊持していたので、肥料排出時にはドレンホースの中途部が排出口よりも下方に垂れ下がると肥料の排出に支障があるため、手を機体内方に伸ばしてドレンホースの中途部を下から支えなければならない場合があり、走行機体の走行中においては機体の揺動や振動等でドレンホースが近接している走行車輪に巻き込まれ易く、また、その肥料排出口を機体幅より奥まったところにすると、残った肥料の排出や洗浄水の排出の際に排出方向の自由度が少なくなる等の課題があった。
本発明の目的は、上記従来の不具合を改善する点にある。
【課題を解決するための手段】
【０００４】
上記目的を達成するため、本発明においては、走行機体内方に設けた施肥経路からドレンホースを分岐した施肥作業機において、ドレンホースを支持する杆状のホースガイドを、ドレンホースの始端側位置を回動支点として回動自在に設け、該回動支点の他端側にドレンホースを装着し、該ホースガイド、及びドレンホースを、ドレンホースの先端側を始端側よりも下方に位置させた肥料排出姿勢と、ドレンホースの先端側を始端側よりも上方に位置させた非排出姿勢とに一体的に姿勢変更可能に構成したことをことを第１の特徴とする。
【０００５】
また、ホースガイドの先端部にドレンホースの折り曲げ係止部を設けたことを第２の特徴とする。
【発明の効果】
【０００６】
ドレンホースを支持する杆状のホースガイドを、ドレンホースの始端側位置を回動支点として回動自在に設け、該回動支点の他端側にドレンホースを装着し、該ホースガイド、及びドレンホースを、ドレンホースの先端側を始端側よりも下方に位置させた肥料排出姿勢と、ドレンホースの先端側を始端側よりも上方に位置させた非排出姿勢とに一体的に姿勢変更可能に構成したので、ドレンホースの中途部が大きく垂れ下がることがなく肥料排出姿勢をとることができ、肥料の排出が容易になる。
また、非排出姿勢においては走行機体の揺動や振動等があっても、ドレンホースの中途部が車輪に巻き込まれる等の虞れがなくなる。
【０００７】
また、ホースガイドの他端側近傍位置にドレンホースの折り曲げ係止部を設けたので、走行機体幅外部に突出する長いドレンホースで、肥料の排出が機体外方で容易に行えるものであり乍ら、ドレンホースの不使用時にはその先端部分を折り曲げて係止部に係止することによりコンパクトに機体幅内に納まり何ら作業の支障となるものではない。
【発明を実施するための最良の形態】
【０００８】
本発明の実施例を以下図面に基づいて説明する。
図１は、本発明装置を備えた施肥作業機としての乗用施肥田植機の要部の平断面図である。
即ち、図において、１は施肥田植機の走行機体であって、その後部に油圧の昇降装置２を介して苗植付作業部３を備えたものである。
そして、上記走行機体１は、通常の乗用田植機と同様に、前部中央のボンネット４の内部にエンジン５を、その左右両側には一対からなる棚状の補助苗載台（図示省略）を夫々設け、走行機体１の左右側中央に操向用のハンドル（図示省略）を備え、更にその後方に運転者の座席シート（図示省略）等を備えている。
また、上記走行機体１の左右両側には、後述する前後の車輪６，６，７，７上に亘る広い作業ステップ８，８を装着して、走行機体１上で苗や肥料の補給作業等が行えるように構成されている。
【０００９】
一方、これらの下方には、上記エンジン５の動力を入力するミッションケースやフロントアクスルケース（以上図示省略）を介して左右一対の前輪６，６を、リヤアクスルケース（図示省略）を介して左右一対の後輪７，７を備えており、該後輪７，７の機体内方には内側補助車輪７ａ，７ａが、機体外側方には外側圃補助車輪７ｂ、７ｂが設けられている。
そして、エンジン５の動力は、変速・分岐装置たる上記ミッションケースに入力され、上記前後の両アクスルケース及び後方の苗植付作業部３を駆動する植付ＰＴＯ軸９等に伝動されるものである。
【００１０】
また、上記苗植付作業部３について説明するに、上記動力を各植付け条毎に伝動する動力伝動ケース１０・・・の両側に苗植付装置１１，１１が装着され、該各苗植付装置１１・・・が上下に長い略楕円形の軌跡を描きながら回転することによりその前部に装着された苗載台１２上のマット状苗を切断しながら、１株分づつの苗を田面上に植付けるように構成されている。
そして、これら苗植付作業部３の下方には、複数個のフロート１３・・・が備えられているものである。
【００１１】
更に、上記走行機体１の前部両側には、ペースト状肥料を収納するための肥料タンク１５，１５が備えられていて、該左右の肥料タンク１５，１５内に収納されたペースト肥料は走行機体１左右幅の中央下部にある肥料ポンプ１６を介して、図示していないホース又はパイプ等により各苗植付条毎に設けられたノズル（図示省略）に搬送し、該ノズルの先端より植付苗側方の地中内に施肥していくものである。
ここで、上記左側作業ステップ８の側方に突出しているホースは、後述するドレンホース１７（ホースの使用状態）である。
【００１２】
次に、図２は図１のＸ−Ｘ線より見た要部の説明用正面図、図３は更に図２の要部を拡大した説明用正面図、図４は支持装置の要部拡大平面図である。
即ち、図２において、走行機体１の左右幅の略中央である座席支持フレーム１８下部に上記肥料ポンプ１６が装着され、図面の右側に向かい延長ゴムホース１９とその先端に嵌装された樹脂ホース１９ａとからなる可撓性のドレンホース１７が肥料ポンプ１６の端部より分岐されている。
一方、走行機体１の下部には支持装置２０が設けてあり、上記ドレンホース１７の始端部近傍位置において、該支持装置２０にホースガイド２１の基端部が回動自在に連結し、ホースガイド２１の先端（他端）側の支持具２２でドレンホース１７の先端側を支持して、該ホースガイド２１の先端側位置を、ドレンホースの先端側を始端側よりも下方に位置させた肥料排出姿勢Ｂと、ドレンホースの先端側を始端側よりも上方に位置させた非排出姿勢Ａとに姿勢変更することにより、ドレンホース１７の先端側の支持姿勢を変移出来るように構成されている。
【００１３】
即ち、上記ホースガイド２１の先端部には、掛かり部２１ａが設けられており、施肥田植機での作業中、又は路上走行中等肥料排出を行わない非排出時は、ホースガイド２１の掛かり部２１ａを上記走行機体１の一部である作業ステップ８下側端部に回動自在に装着されたフック２３に引っ掛けることにより、ドレンホース１７の先端側が始端側よりも上方に位置する非排出姿勢（図２，３のＡ状態）となるものである。
そして、この際には、上記ホースガイド２１の先端部には支持具２２近傍位置に設けた横方向に開口を有する折り曲げ係止部としての２股状のＣ字係止杆２４にドレンホース１７の先端部分を折り曲げて係止する（図２，図３のＡ状態）ことにより機体左右幅内にドレーンホース１７の先端部を収めるものである。
なお、ドレンホース１７の最先端部には排出口２５が備えられており、また、３２は走行機体１への乗り降り時の足掛部であり、更に、上記フック２３のホースガイド２１先端の掛かり部２１ａを係止する部分は、ノブ２６となっていて、走行機体１の作業中に機体が揺動したり振動があっても、上記ノブ２６を締めておくことにより、ホースガイド２１の掛かり部２１ａが妄りにフック２３から外れるようなことはない。
更にまた、図２，図３のＢの姿勢は、ドレンホース１７の使用時（肥料排出姿勢）を示し、当然ながら、施肥田植機は施肥田植作業を中止している状態である。
【００１４】
次に、図４の支持装置２０について説明するに、該支持装置２０は図２で記載の如く下方の尖った三角形状をしていて、左右上部の両側位置で支持装置２０に溶接されたボルト２７，２７をで、機体フレームに設けたプレートにナットで締付固定される（図示省略）と共に、その反対側（図４下側）をボルト２８とナット２８ａで、走行機体１下部の枠体に固定されており、その下端部の回動支点２９において、ホースガイド２１の基端側にある孔２１ｂ及びスプリング３０と併せてピン３１を横方向より挿通したものである。
そして、上記ホースガイド２１の孔２１ｂを、上記ピン３１の径より稍大きくして、ドレンホース１７の肥料排出姿勢（図２，３の姿勢Ｂ）において、ホースガイド２１の先端側をスプリング３０の付勢力に抗して左右方向に振ることで、肥料の排出位置がある程度自由となるように構成されており、スプリング３０は排出位置が自由になるものでありながら非排出姿勢Ｂではホースガイド２１の基端部のガタつきを防止する抵抗となる役目を果たす。
なお、上記ピン３１の挿入側端部にはワッシャ３１ａ及び抜け止め用のスナップピン３１ｂが装着されているものである。
【００１５】
従って、以上の構成によれば、作業者は苗載台１２にマット状苗を満載させると共に、左右の肥料タンク１５，１５内にペースト状肥料を充填させてから、エンジン５を始動し、走行機体１の所要部位を駆動させて施肥田植作業を行うが、この時点ではホースガイド２１の先端側はフック２３に係止した非排出姿勢（図２，３の姿勢Ａ）となっている。
【００１６】
そして、施肥田植作業を完全に終了した時点で、施肥装置部分の内部を洗浄しておく必要があるが、この時には先ずノブ２６を緩めて、ホースガイド２１の先端側の掛かり部２１ａをフック２３から外して係止を解除し、ドレンホース１７の先端部分をＣ字係止杆２４から外して肥料排出姿勢（図２，３の姿勢Ｂ）にした上でバケツ又は肥料用のポリタンク等の容器にその先端側の位置を合わせ、排出口２５のキャップを外した上で肥料ポンプ１６を駆動し、肥料タンク１５やホース又はパイプ，肥料ポンプ１６内等に残っているペースト状肥料を、バケツや肥料用のポリタンク等の容器内に排出する。
【００１７】
つまり、ペースト状肥料を完全に抜いた後、ドレンホース１７の吐出口２５のキャップを装着すると共に、ホースガイド２１の先端部分を折り曲げてＣ字係止杆２４に横方向の開口部より挿入する。すると、ドレンホース１７はその弾性力で先端部分が上方に移動して、延ばされた姿勢（図２，３のＢ状態）に復帰しようとするが、Ｃ字係止杆２４の開口部が横方向となっているので、折り曲げ状態のままの姿勢を保つ。
そこで、作業者はホースガイド２１の先端側を握り、その掛かり部２１ａをフック２３に係止する（図２，３の姿勢Ａ状態）。
【００１８】
この状態で、左右の肥料タンク１５，１５の蓋１５ａ，１５ａを取って、肥料タンク１５の内部に洗浄水を入れ、再び肥料ポンプ１６を駆動して肥料タンク１５からポンプ１６やホース又はパイプ等を経由して、後方の苗植付作業部３にある肥料吐出用のノズル先端より洗浄水を機外に排出することで、ペースト状肥料の施肥経路全体を洗浄する。
【００１９】
そして、ホースやパイプ及びノズル等に溜まっている洗浄水をノズル先端より排出してから、再びホースガイド２１の先端側の掛かり部２１ａをフック２３から外し、ドレンホース１７の先端部分をＣ字係止杆２４から外して排出姿勢（図２，３の姿勢Ｂ）にした上で、排出口２５のキャップを外して内部に溜まっている洗浄水を排出する。
そして、洗浄水が全部抜けたならば再び排出口２５のキャップを装着すると共に、ドレンホース１７の先端部分を折り曲げてＣ字係止杆２４に係止し、再度、ホースガイド２１の先端側の掛かり部２１ａをフック２３に係止して、ノブ２６を締めて非排出姿勢（図２，３の姿勢Ａ）とし、施肥作業が再開出来る状態に戻しておくものである。
【００２０】
従って、本発明によれば、走行機体内方に設けた施肥経路からドレンホース１７を分岐した施肥作業機において、ドレンホース１７を支持する杆状のホースガイド２１を、ドレンホース１７の始端側位置を回動支点２９として回動自在に設け、該回動支点の他端側にドレンホース１７を装着し、該ホースガイド２１、及びドレンホース１７を、ドレンホース１７の先端側を始端側よりも下方に位置させた肥料排出姿勢と、ドレンホース１７の先端側を始端側よりも上方に位置させた非排出姿勢とに一体的に姿勢変更可能に構成したので、ドレンホース１７の中途部が大きく垂れ下がることがなく肥料排出姿勢Ｂをとることができ、肥料の排出が容易になる。
また、非排出姿勢Ａにおいては走行機体１の揺動や振動等があっても、ドレンホース１７の中途部が車輪６，７に巻き込まれる等の虞れがなくなる。
また、ホースガイド２１の他端部にドレンホースの折り曲げ係止部を設けたので、走行機体幅外部に突出する長いドレンホースで、排出方向の自由度が効くものであり乍ら、ドレンホース１７の不使用時にはその先端部分を折り曲げて係止部に係止することによりコンパクトに機体幅内に納まり何ら作業の支障となるものではない。
【００２１】
また、上記ホースガイド２１の先端部にドレンホース１７の折り曲げ係止部であるＣ字係止杆２４を設けたので、走行機体幅外部に大きく突出する長いドレンホースで、排出方向の自由度が効くものであり乍ら、ドレンホース１７の不使用時にはその先端部分を折り曲げて係止部に係止することによりコンパクトに機体幅内に納まり、何ら作業の支障となるものではない。
【００２２】
さらに、ホースガイド１７の先端部を作業ステップ８の下側端部に係止するので、走行機体１の下側における機体側部の比較的高位置で係止部の係脱を行うことができ、作業性が高いものである。
また、Ｃ字係止杆２４はホースガイド１７の上部に設けられており、作業ステップ８とホースガイドの間の空間部を利用してドレンホースの先端部分を折り曲げて収納するので、走行機体１の下方クリアランスを損なうことなくドレンホースをコンパクトに機体幅内に収めることができる
なお、本実施例は施肥田植機で説明したが、施肥管理機等施肥機を搭載した走行作業機であれば、同様の作用効果を奏するものである。
【図面の簡単な説明】
【００２３】
【図１】乗用施肥田植機の要部の平断面図である。
【図２】図１のＸ−Ｘ線より見た要部の説明用正面図である。
【図３】図２の要部を拡大した説明用正面図である。
【図４】支持装置の要部拡大平面図である。
【符号の説明】
【００２４】
１  走行機体
３  苗植付作業部
６  前輪
７  後輪
１５  肥料タンク
１６  肥料ポンプ
１７  ドレンホース
２０  支持装置
２１  ホースガイド
２１ａ  掛かり部
２３  フック
２４  Ｃ字係止杆
２５  排出口
２９  回動支点
【図１】
2005261312.tif 000003
【図２】
2005261312.tif 000004
【図３】
2005261312.tif 000005
【図４】
2005261312.tif 000006